(57)【要約】      （修正有）【課題】容易に回転規制を解除することができるとともに、長期間にわたって照射方向を維持することができる照明器具を提供する。【解決手段】アーム部材２０と、灯体３０とを、回動可能に接続する回動部に、回転軸４１と、アーム部材２０と灯体側部材３２との間に設けられて灯体側部材３２と一体的に回動する平板状のスペーサ４３と、灯体側部材３２に設けられてスペーサ４３をアーム部材２０に押し付けるバネ部材４５とを設け、スペーサ４３のアーム部材２０側の面に摩擦面４３ｂを設けるとともに、スペーサ４３にレバー４４を一体的に接続した。これにより、摩擦力によりスペーサ４３はアーム部材２０に対して回動を規制される。一方、スペーサ４３に一体的に設けられているレバー４４を操作して、スペーサ４３の反対側端部を持ち上げることにより、摩擦面が小さくなるので、スペーサ４３および灯体３０はアーム部材２０に対して回動可能となる。【選択図】図４
2009266547.tif 000002
【特許請求の範囲】
【請求項１】
取付部位に支持されるアーム部材と、内部に光源を有する灯体と、前記灯体を前記アーム部材に対して回動可能に接続する回動部とを有する照明器具であって、
前記回動部が、前記灯体を有する灯体側部材と前記アーム部材とを回動可能に支持する回転軸と、前記アーム部材と前記灯体側部材との間に設けられ前記灯体側部材と一体的に回動する平板状のスペーサと、前記灯体側部材に設けられて前記スペーサを前記アーム部材に押し付けるバネ部材とを有し、
前記スペーサの前記アーム部材側の面に摩擦面を設けるとともに、前記スペーサにレバーを一体的に接続したことを特徴とする照明器具。
【請求項２】
前記レバーを操作して前記スペーサを回動させたときに前記スペーサの摩擦面が前記アーム部材と接触する面積が、前記レバーを操作せずに前記摩擦面が前記アーム部材と接触する面積よりも小さいことを特徴とする請求項１記載の照明器具。
【請求項３】
前記スペーサの摩擦面における前記レバー側の端部に、前記レバー操作時に支点となる突起を設けるとともに、前記アーム部材において前記スペーサの摩擦面に対向する面に、前記突起が嵌合する球状の嵌合凹部を円弧状に複数設けたことを特徴とする請求項1または２記載の照明器具。
【請求項４】
前記スペーサの摩擦面における前記レバー側の端部に、前記レバー操作時に支点となる突起を設けるとともに、前記アーム部材において前記スペーサの摩擦面に対向する面に、前記突起が摺動可能に嵌合する円弧状の溝を設けたことを特徴とする請求項1または２記載の照明器具。
【発明の詳細な説明】
【技術分野】
【０００１】
本発明は、首振り機構により照射方向を変えることができる照明器具に関するものである。
【背景技術】
【０００２】
従来より、器具取付部から延出したアームと灯体、あるいは、器具取付部から延出したアームと灯体から延出したアームとを回動部により回動自在に接続して首振り機構を形成し、その角度を変えることによって、灯体の照射方向を変えることが行われている。そして、回動部を変えた照射方向に固定するために回動軸としてネジを用い、ネジを締め付けることにより、摩擦力で固定することが行われている。
【０００３】
しかしながら、摩擦力で固定するためには、大きな力でネジを締めねばならないため、作業性が悪い。また、長期の使用中にネジが緩んで回動部の固定が解けてしまうという問題がある。そこで、ネジの緩みを防止する構造が提案されている（例えば、特許文献１参照）。
【０００４】
図７に示すように、特許文献１に記載の照明器具１００においては、天井部等の被取付部に取付けられるダクトレ−ル（図示せず）にプラグ１０１を介して接続すると共に被取付部に支持される支持ア−ム部材１０２と、この支持ア−ム部材１０２に対して鉛直面内で上下方向に回動可能に連結されるとともに内部にランプ（図示省略）を有する灯具１０３とを備えている。
【０００５】
支持アーム部材１０２は、上下方向に延びるアーム本体部１０４と、このアーム本体部１０４の下端部に連設され水平方向の軸線を有する支持部１０５とを有しており、この支持部１０５には灯具１０３の係合部材１０６が左右に設けられているボルト部材１０７、１０７によって回動可能に取付けられている。ボルト部材１０７は、円板状のツマミ部１０７ａと、このツマミ部１０７ａに直角に設けられているネジ部１０７ｂを有している。一方、係合部材１０６の内部にはナット部材１０８が、移動可能でかつ回転不能に設けられており、ボルト部材１０７のネジ部１０７ｂの先端が螺合している。従って、ツマミ部１０７ａを回転させると、ナット部材１０８の係止面が係合部材１０６に設けられているストッパビス１０９に係合されて、支持部１０５に対する係合部材１０６の回転が規制され、それらの位置関係が長期に亘って所定の状態となるように保持される。
【特許文献１】実開平５−３８７０２号公報（第３図）
【発明の開示】
【発明が解決しようとする課題】
【０００６】
しかしながら、図７において説明した照明器具１００においては、灯具１０３の回動を規制する場合にはボルト部材１０７を締め付け、灯具１０３を回動させる際にはボルト部材１０７を緩めなければならず、面倒であるという問題があった。
【０００７】
本発明は、従来の問題を解決するためになされたもので、照射方向を変える際には容易に回転規制を解除することができるとともに、照射方向を変えた後には長期間にわたって照射方向を維持することができる照明器具を提供することを目的とする。
【課題を解決するための手段】
【０００８】
本発明の照明器具は、取付部位に支持されるアーム部材と、内部に光源を有する灯体と、前記灯体を前記アーム部材に対して回動可能に接続する回動部とを有する照明器具であって、前記回動部が、前記灯体を有する灯体側部材と前記アーム部材とを回動可能に支持する回転軸と、前記アーム部材と前記灯体側部材との間に設けられ前記灯体側部材と一体的に回動する平板状のスペーサと、前記灯体側部材に設けられて前記スペーサを前記アーム部材に押し付けるバネ部材とを有し、前記スペーサの前記アーム部材側の面に摩擦面を設けるとともに、前記スペーサにレバーを一体的に接続した構成を有している。
【０００９】
この構成により、スペーサのレバーを操作しない通常時には、スペーサは灯体側部材に設けられているバネ部材によってアーム部材に押し付けられ、摩擦力によりスペーサはアーム部材に対して回動を規制されるので、緩むことがなく、長期間にわたって照射方向を維持することができる。また、スペーサは灯体側部材と一体的に回動するので、スペーサの回動が規制されることにより灯体側部材の回動が規制されることになり、灯体の回動も規制される。一方、スペーサに一体的に設けられているレバーを操作して、スペーサのレバーと反対側端部を持ち上げることにより、摩擦面が小さくなるので、スペーサおよび灯体はアーム部材に対して回動可能となり、容易に回転規制を解除することができる。
【００１０】
また、本発明の照明器具は、前記レバーを操作して前記スペーサを回動させたときに前記スペーサの摩擦面が前記アーム部材と接触する面積が、前記レバーを操作せずに前記摩擦面が前記アーム部材と接触する面積よりも小さい構成を有している。
【００１１】
この構成により、レバーを操作してスペーサの一端側を持ち上げると、アーム部材と接触する摩擦面の面積が減少するので、容易に灯体を回動させることができる。
【００１２】
また、本発明の照明器具は、前記スペーサの摩擦面における前記レバー側の端部に、前記レバー操作時に支点となる突起を設けるとともに、前記アーム部材において前記スペーサの摩擦面に対向する面に、前記突起が嵌合する球状の嵌合凹部を円弧状に複数設けた構成を有している。
【００１３】
この構成により、レバーを操作する際に、スペーサの摩擦面に設けた突起が支点となるので、摩擦面はアーム部材から離れ、容易に灯体を回動させることができる。また、突起が嵌合凹部に嵌合することにより、灯体の回動を確実に規制することができる。
【００１４】
さらに、本発明の照明器具は、前記スペーサの摩擦面における前記レバー側の端部に、前記レバー操作時に支点となる突起を設けるとともに、前記アーム部材において前記スペーサの摩擦面に対向する面に、前記突起が摺動可能に嵌合する円弧状の溝を設けた構成を有している。
【００１５】
この構成により、レバーを操作する際に、スペーサの摩擦面に設けた突起が支点となるので、摩擦面はアーム部材から離れ、容易に灯体を回動させることができる。また、突起が円弧状の溝に沿って移動するので、灯体の移動範囲を制限することができる。
【発明の効果】
【００１６】
本発明は、スペーサのレバーを操作しない通常時には、スペーサは灯体側部材に設けられているバネ部材によってアーム部材に押し付けられ、摩擦力によりスペーサはアーム部材に対して回動を規制されるので、緩むことがなく、長期間にわたって照射方向を維持することができる。また、スペーサは灯体側部材と一体的に回動するので、スペーサの回動が規制されることにより灯体側部材の回動が規制されることになり、灯体の回動も規制される。一方、スペーサに一体的に設けられているレバーを操作して、スペーサのレバーと反対側端部を持ち上げることにより、摩擦面が小さくなるので、スペーサおよび灯体はアーム部材に対して回動可能となり、容易に回転規制を解除することができるという効果を有する照明器具を提供することができるものである。
【発明を実施するための最良の形態】
【００１７】
以下、本発明の実施形態にかかる照明器具について、図面を用いて説明する。
図１（Ａ）は本発明にかかる照明器具の前方から見た斜視図、図１（Ｂ）は同じく後方から見た斜視図、図２は回動部の正面図、図３（Ａ）は回動部を構成するアーム部材の下端部の正面図、図３（Ｂ）はスペーサおよびレバーの正面図、図３（Ｃ）は回動部を構成する灯体側部材の正面図、図４（Ａ）は灯体の照射角度を保持した状態を示す側面図、図４（Ｂ）は灯体を回動させる状態を示す側面図である。
【００１８】
図１に示すように、本発明にかかる照明器具１０は、天井１１等の取付部位に取付けられて、照射方向を変えることができるものであり、天井１１に取付けられたダクトレ−ル（図示せず）にライティングプラグ２１を介して支持されるアーム部材２０と、内部に光源であるランプ３１を有する灯体３０と、灯体３０をアーム部材２０に対して回動可能に接続する回動部４０とを有している。
【００１９】
図２に示すように、回動部４０では、アーム部材２０の下端部２０ａに設けられている貫通穴２２と、灯体３０に一体的に設けられている灯体側部材３２に設けられている貫通穴３３とを、回動軸としてのボルト４１が貫通して設けられ、ナット４２により締結されている。アーム部材２０と灯体側部材３２との間には、円環板状のスペーサ４３が挟装されており、スペーサ４３の端部にはレバー４４が所定の角度で一体的に設けられている。また、灯体側部材３２における接触面には凹部３２ａが形成されており、凹部３２ａの内部にはバネ部材であるスプリング４５が設けられており、スペーサ４３をアーム部材２０の接触面２０ｂに押し付けている。
【００２０】
図３（Ａ）に示すように、アーム部材２０の接触面２０ｂには、貫通穴２２の中心を中心として、複数個の部分球状をした凹部２３が一定の間隔で配設されている。あるいは、一定間隔の複数の凹部２３に代わって、凹部２３を円弧状に連続させた１個の円弧状の凹部とすることもできる。
【００２１】
また、図３（Ｂ）に示すように、円環板状のスペーサ４３の中心にはボルト４１が貫通する貫通穴４３ａが設けられており、アーム部材２０側面の貫通穴４３ａの周囲には、摩擦係数が大きい摩擦面４３ｂが設けられている。この貫通穴４３ａは、スペーサ４３がボルト４１に対して回動可能となるように、ボルト４１の外径に比して若干大きめに形成されている。
【００２２】
スペーサ４３におけるレバー４４の付け根には、レバー４４を操作した際に支点となる球状の突起４６が設けられており、前述したアーム部材２０の凹部２３のいずれかに嵌合する。また、レバー４４の下端部には、矩形状の切欠き４４ａが貫通して設けられており、切欠き４４ａの周囲には、補強部４４ｂが設けられている。
【００２３】
図３（Ｃ）に示すように、灯体側部材３２の先端（上端）には、三角形の係止板３４が上方へ突出して一体的に形成されている。この係止板３４は、回動部４０においてレバー４４の切欠き４４ａに係合するものであり、これにより、灯体側部材３２（すなわち灯体３０）がレバー４４およびスペーサ４３と一体的に回動することになる。
【００２４】
次に、灯体３０の照射方向を変える動作を説明する。
図４（Ａ）に示すように、灯体３０の照射方向を固定した状態では、スペーサ４３はスプリング４５によってアーム部材２０の接触面２０ｂに押し付けられている。このため、スペーサ４３に設けられた突起４６がアーム部材２０に設けられている凹部２３に嵌合するとともにスペーサ４３の摩擦面４３ｂがアーム部材２０の接触面２０ｂと接触して回動が規制されており、係止板３４によってレバー４４（すなわちスペーサ４３）と一体的に回動する灯体３０も回動が規制されている。
【００２５】
灯体３０を回動させて照射方向を変える際には、図４（Ｂ）に示すように、レバー４４を矢印Ａ方向へ回動させる。これにより、スペーサ４３が突起４６を支点として矢印Ｂ方向へ回動し、摩擦面４３ｂがアーム部材２０の接触面２０ｂから離れるので接触面積が減少し、スペーサ４３は回動可能となる。この状態でレバー４４を紙面直交方向へ回動させることにより、レバー４４の切欠き４４ａに係合している係止板３４を介して灯体側部材３２（すなわち灯体３０）を回動させて、照射方向を変えることができる。このとき、スペーサ４３に設けられている突起４６が、アーム部材２０の接触面２０ｂに設けられている凹部２３から離脱して次の凹部２３へ移動する。灯体３０の照射方向を変えた後は、レバー４４を放して戻す。
【００２６】
以上、説明した照明器具１０によれば、スペーサ４３のレバー４４を操作しない通常時には、スペーサ４３は灯体側部材３２に設けられているスプリング４５によってアーム部材２０に押し付けられ、摩擦力によりスペーサ４３はアーム部材２０に対して回動を規制されるので、緩むことがなく、長期間にわたって照射方向を維持することができる。また、スペーサ４３は灯体側部材３２と一体的に回動するので、スペーサ４３の回動が規制されることにより灯体側部材３２の回動が規制されることになり、灯体３０の回動も規制される。一方、スペーサ４３に一体的に設けられているレバー４４を操作して、スペーサ４３のレバー４４と反対側端部を持ち上げることにより、摩擦面が小さくなるので、スペーサ４３および灯体３０はアーム部材２０に対して回動可能となり、容易に回転規制を解除することができる。
【００２７】
次に、本発明の第２実施形態について説明する。
図５（Ａ）は本発明の第２実施形態にかかる照明器具の回動部の正面図、図５（Ｂ）はスペーサの正面図である。なお、前述した第１実施形態と共通する部位には同じ符号を付して、重複する説明を省略することとする。
【００２８】
図５（Ａ）および（Ｂ）に示すように、スペーサ４３における突起４６と点対称側にスペーサ４３を延長した延設部４７を設け、摩擦面４３ｂを延設部４７まで広げた。
【００２９】
このようにすると、前述した第１実施形態と同様の作用・効果を得ることができるとともに、アーム部材２０との接触面積が増えるので、摩擦力が大きくなり、灯体３０を長期間固定することができる。
【００３０】
次に、本発明の第３実施形態について説明する。
図６（Ａ）は本発明の第３実施形態にかかる照明器具において灯体の照射角度を保持した状態を示す側面図、図６（Ｂ）は灯体を回動させる状態を示す側面図である。なお、前述した第１および第２実施形態と共通する部位には同じ符号を付して、重複する説明を省略することとする。
【００３１】
図６（Ａ）および（Ｂ）に示すように、アーム部材２０の接触面２０ｂにおいて、スペーサ４３のレバー４４側端部が接触する部分を摩擦係数が小さな鏡面部２４ａとし、反対側を摩擦係数が大きな粗面部２４ｂとした。また、スペーサ４３側においても同様に、鏡面部２４ａに対向する摩擦面４３ｂを摩擦係数が小さな鏡面部４８ａとし、反対側を摩擦係数が大きな粗面部４８ｂとした。
従って、図６（Ａ）に示すように、灯体３０の照射方向を固定している状態では、両粗面部２４ｂ、４８ｂが接触するとともに、突起４６が凹部２３に嵌合しているので、同じ照射方向を確実に維持することができる。
一方、図６（Ｂ）に示すように、灯体３０の照射方向を変える場合には、レバー４４を図中矢印方向へ回動させてスペーサ４３の粗面部４８ｂ側を持ち上げるので、両粗面部２４ｂ、４８ｂが離れるとともに、両鏡面部２４ａ、４８ａが接触して、回動抵抗を小さくするので、容易に灯体３０を回動させることができる。そして、灯体３０を回動した後は、レバー４４を戻すことにより、図６（Ａ）の状態となるので、灯体３０の照射方向を維持することとなる。
【００３２】
なお、本発明の照明器具は、前述した各実施形態に限定されるものでなく、適宜な変形，改良等が可能である。
例えば、前述した各実施形態において、アーム部材２０に設けた部分球状の嵌合凹部２３を、所定間隔で放して設けた場合を例示したが、球状の嵌合凹部２３に代わって、連続した円弧状の凹部を設けるようにすることもできる。この場合には、円弧状の凹部を灯具３０の回動範囲として設定することができる。
【図面の簡単な説明】
【００３３】
【図１】（Ａ）は本発明にかかる照明器具の前方から見た斜視図、（Ｂ）は同じく後方から見た斜視図
【図２】回動部の正面図
【図３】（Ａ）は回動部を構成するアーム部材の下端部の正面図、（Ｂ）はスペーサおよびレバーの正面図、（Ｃ）は回動部を構成する灯体側部材の正面図
【図４】（Ａ）は灯体の照射角度を保持した状態を示す側面図、（Ｂ）は灯体を回動させる状態を示す側面図
【図５】（Ａ）は本発明の第２実施形態にかかる照明器具の回動部の正面図、（Ｂ）はスペーサの正面図
【図６】図６（Ａ）は本発明の第３実施形態にかかる照明器具において灯体の照射角度を保持した状態を示す側面図、図６（Ｂ）は灯体を回動させる状態を示す側面図
【図７】従来の照明器具における回動部を示す正面図
【符号の説明】
【００３４】
１０  照明器具
１１  天井（取付部位）
２０  アーム部材
２３  嵌合凹部
３０  灯体
３１  ランプ（光源）
３２  灯体側部材
４０  回動部
４１  ボルト（回転軸）
４３  スペーサ
４３ｂ  摩擦面
４４  レバー
４５  スプリング（バネ部材）
４６  突起
【図１】
2009266547.tif 000003
【図２】
2009266547.tif 000004
【図３】
2009266547.tif 000005
【図４】
2009266547.tif 000006
【図５】
2009266547.tif 000007
【図６】
2009266547.tif 000008
【図７】
2009266547.tif 000009